(57)【要約】【課題】片側の居室を暖冷房した時など、両側の温度湿度が別々に変化して、両側の表面板間に伸縮の差が生じても反りを発生することがなく、良好な建付けを維持できる建具を提供する。【解決手段】建具枠、及びこの建具枠の両側に取り付けられた表面板とを含み構成される建具であって、前記建具枠は、両側に配された一対の竪枠と、この竪枠の上端部間に架け渡された上枠と、竪枠の下端部間に架け渡された下枠とを有して矩形状に構成され、前記表面材は、その両側部が左右の竪枠に支持されることにより建具枠に取り付けられ、かつこの竪枠に、表面板の伸縮によって生じる竪枠と表面板との位置ズレを吸収しうるズレ吸収部が設けられることを特徴とする。【選択図】図１
2007191930.tif 000002
【特許請求の範囲】
【請求項１】
建具枠、及びこの建具枠の両側に取り付けられた表面板とを含み構成される建具であって、
前記建具枠は、両側に配された一対の竪枠と、この竪枠の上端部間に架け渡された上枠と、竪枠の下端部間に架け渡された下枠とを有して矩形状に構成され、
前記表面材は、その両側部が左右の竪枠に支持されることにより建具枠に取り付けられ、かつこの竪枠に、表面板の伸縮によって生じる竪枠と表面板との位置ズレを吸収しうるズレ吸収部が設けられることを特徴とする建具。
【請求項２】
前記表面板は、その両側部においてブチルテープを介して竪枠に貼着され、
このブチルテープにより前記ズレ吸収部が形成されることを特徴とする請求項１記載の建具。
【請求項３】
前記ブチルテープは、厚さが０．５〜５．０ｍｍであることを特徴とする請求項２記載の建具。
【請求項４】
前記上枠、及び下枠は、建具厚さ方向が、竪枠よりも大きく形成されて、その表面と竪枠の表面との間に段差を生じ、
前記ブチルテープは、前記段差と略同寸法の厚さを有することを特徴とする請求項２又は３記載の建具。
【請求項５】
前記建具枠は、上枠、及び下枠の間に水平な補強中桟が隔設され、
前記上枠、下枠、及び補強中桟は、その一つが前記表面板に接着されることを特徴とする請求項１〜４のいずれかに記載の建具。
【請求項６】
前記竪枠は、建具厚さ方向の中間に弾性層を有し、この弾性層により前記ズレ吸収部が形成されることを特徴とする請求項１記載の建具。
【発明の詳細な説明】
【技術分野】
【０００１】
本発明は、間仕切り壁に配置される出入り口などの開口部に取り付けられ、その両側空間の温度、湿度などに差が生じても反りの発生が抑制されて、良好な建付けを維持できる建具に関する。
【背景技術】
【０００２】
間仕切り開口に用いられる屋内用の建具は、例えば冬季に暖房される居室と、反対側の廊下の間で大きな温度差を生じる。更には暖房される居室側の空気が乾燥して、両側の湿度にも著しい差が生まれる。なお夏季の冷房時にも同じように、建具の両側において温度、及び湿度に大きな差が生じる。
【０００３】
他方、縦フレーム材、横フレーム材を矩形状に枠組みした外周枠の内側に補強桟を架け渡し形成された木製のパネルフレームの両側に、化粧板を貼着したフラッシュ構造の建具は、軽量かつ低廉に製造できる上、材料、加工技術の発展に伴い意匠性も格段に向上したことから広く使用されている。しかしこのようなフラッシュ構造の建具においては、前記のように両側で温度湿度の差が生じる際、両側の化粧板が異なった伸縮を生じるため所謂バイメタルの作用により、反りが発生し易いという問題があった。
【０００４】
そこで本出願人は、プラスチックフィルム（ポリエチレンなど）の両面に紙を積層して形成した防湿シートを前記化粧板に貼着することにより、両側の空間に温度差がある場合でも、双方の化粧板の間で含水率の差が生じること抑制し、その結果反りを防止しうる建具を提案している（例えば、特許文献１参照）。
【０００５】
【特許文献１】特開平９−２３５９５４号公報
【発明の開示】
【発明が解決しようとする課題】
【０００６】
この建具にあっては、湿度差による含水率変化の隔たりは抑制できるものの、温度差による伸びの差があるため、反りを完全に抑えることは難しく、また両面に紙を積層した防湿シートを、化粧板の両面に貼着する工数が増えて、建具の加工に手間がかかり製造コストがアップするなどの問題が残され、更なる改良が望まれていた。
【０００７】
本発明は、竪枠に、表面板の伸縮によって生じる竪枠と表面板との位置ズレを吸収しうるズレ吸収部が設けることを基本とし、片側の居室を暖冷房した時など、両側の温度湿度が別々に変化して、両側の表面板間に伸縮の差が生じても反りを発生することがなく、良好な建付けを維持できる建具の提供を課題としている。
【課題を解決するための手段】
【０００８】
前記目的を達成するために、請求項１に係る発明では、建具枠、及びこの建具枠の両側に取り付けられた表面板とを含み構成される建具であって、前記建具枠は、両側に配された一対の竪枠と、この竪枠の上端部間に架け渡された上枠と、竪枠の下端部間に架け渡された下枠とを有して矩形状に構成され、前記表面材は、その両側部が左右の竪枠に支持されることにより建具枠に取り付けられ、かつこの竪枠に、表面板の伸縮によって生じる竪枠と表面板との位置ズレを吸収しうるズレ吸収部が設けられることを特徴とする。
【０００９】
請求項２に係る発明では、前記表面板は、その両側部においてブチルテープを介して竪枠に貼着されるとともに、このブチルテープにより前記ズレ吸収部が形成され、請求項３に係る発明において前記ブチルテープは、厚さが０．５〜５．０ｍｍであり、また請求項４に係る発明では、上枠、及び下枠は、建具厚さ方向が、竪枠よりも大きく形成されて、その表面と竪枠の表面との間に段差を生じ、前記ブチルテープは、前記段差と略同寸法の厚さを有することを特徴とする。
【００１０】
請求項５に係る発明では、建具枠は、上枠、及び下枠の間に水平な補強中桟が隔設されるとともに、上枠、下枠、及び補強中桟は、その一つが前記表面板に接着され、請求項６に係る発明においては、竪枠は、建具厚さ方向の中間に弾性層を有し、この弾性層により前記ズレ吸収部が形成されることを特徴とする。
【発明の効果】
【００１１】
請求項１に係る発明においては、冬季の暖房時など、両側の屋内空間の温度、湿度が別々に変化して差を生じることにより、両側の表面板が異なる比率で伸縮したとしても、表面材の両側部が支持される左右の竪枠に表面板の伸縮によって生じる竪枠と表面板との位置ズレを吸収しうるズレ吸収部が設けられることから、伸縮量の差によって建具の反りを生じることがなく、良好な建付けを維持することができる。
【００１２】
請求項２に係る発明のように、ブチルテープを介して表面板の両側部を竪枠に貼着すると、ブチルテープに粘着性の良好なズレ吸収作用によって、伸縮量の差に基づく応力が緩和されることから、建具の反りが有効に抑制され、請求項３に係る発明のように、ズレ吸収部として厚さが０．５〜５．０ｍｍのブチルテープを用いると、通常使用状態において必要かつ充分なズレ吸収作用が得られるため、反りの発生を有効に防止できる。
【００１３】
請求項４に係る発明のように、前記上枠、及び下枠の建具厚さ方向を、竪枠よりも大きく形成することにより、その表面と竪枠の表面との間に、ブチルテープを収容しうる段差を設けるように構成すると、上枠、下枠と表面板との間の隙間を防止できて、ガタつきのない、見栄えに優れた建具を形成でき、また請求項５に係る発明のように、表面板が上枠、下枠、及び補強中桟の一つに接着されると、ズレ吸収部によって支持された表面板がその自重によって下方に変位することを防止できる。更に請求項６に係る発明のように、竪枠の建具厚さ方向の中間に設けた弾性層によってズレ吸収部を形成すると、見栄えに優れると共に安定したズレ吸収作用が発揮されるため、反りを確実に抑制しうる。
【発明を実施するための最良の形態】
【００１４】
以下、本発明の実施の一形態を、図示例とともに説明する。建具１は、図１に示すように、建具１は、骨格を構成する建具枠２と、その両側の取り付けられる一対の表面板３とを具えたフラッシュ構造のパネルとして構成される。
【００１５】
前記表面板３は、矩形状の薄板状をなし、建具枠２を挟んで平行に配置され、少なくとも表面側は、化粧面として構成される。この表面板３は、合板など基板上に、ナラ、サクラ、チーク、ケヤキなどを０．２〜０．６ｍｍ程度にスライスした突き板、或いはポリエチレン、ポリプロピレン、エチレン酢ビ樹脂（ＥＶＡ）などオレフィン系樹脂、メラミン樹脂、ポリエステル樹脂を用いた化粧シートを貼着した化粧板を好適に用いることができる。しかしこの他ポリエチレン樹脂、ポリプロピレン樹脂、ポリスチレン樹脂、フェノール樹脂、不飽和ポリエステル樹脂などのプラスチック板、炭素鋼、ステンレス鋼、合金鋼を含む鉄鋼材料、或いはアルミニウム、真鍮、銅、チタンなどの金属板を用いることもできる。
【００１６】
前記建具枠２は、図３に示すように、両側に配された竪枠４、４と、この竪枠４、４の上端部間に架け渡された上枠５と、下端部間に架け渡された下枠６とを含み、矩形状をなす。本形態では更に、上、下枠５、６の間に、複数の補強中桟９が等間隔で隔設され、建具１を補強している。
【００１７】
本形態では図４に示すように、上枠５、及び下枠６は、建具１の厚さ方向の寸法が、竪枠４よりも大きく形成され、その結果上枠５、下枠６の表面と、竪枠４の表面との間には、数ミリメートル程度の段差を生じている。
【００１８】
なお建具枠２は、杉、松、樅、栂などの針葉樹、およびナラ、チーク、ラワンなどの広葉樹を含む無垢木材、或いは集成材、ＬＶＬ（単板積層材）などの木質加工棒材などを好適に用いることができる。この他各種プラスチック材料、金属材料を使用して構成することもできる。
【００１９】
前記表面板３は建具枠２に重ね合わせるとともに、本形態では、前記竪枠４にブチルテープ８を介して貼着される。このブチルテープ８は、粘弾性を具えることから変形追従能力が有り、竪枠と表面板との位置ズレを吸収しうるズレ吸収部７を形成する。従って冬季の暖房時など、建具１両側の屋内空間の温度、湿度が別々に変化して差を生じて、両側の表面板３が異なる比率で伸縮したとしても、この伸縮差はズレ吸収部７で吸収されることから建具１に反りが発生することがなく、良好な建付けを維持することができる。しかも本形態において使用するブチルテープ８は、柔らかな粘弾性を有するため、良好なズレ吸収作用を発揮して、たとえ伸縮量の差が大きく発生しても応力が緩和されることから、建具１の反りを確実に抑制できる。
【００２０】
前記ブチルテープ８の厚さは、例えば、０．５〜５．０ｍｍ程度、好ましくは１．５ｍｍ〜３．５ｍｍ、本形態では２．５ｍｍとしている。０．５ｍｍ未満ではズレを充分に吸収することができないために反り発生の恐れがあり、逆に５．０ｍｍを超えると、ズレ吸収能力が過剰となるとともに、ブチルテープ８が食み出して外観を損ね易い。
【００２１】
また本形態では、ブチルテープ８を介して表面板３と貼着する竪枠４の表面と、上、下枠５、６との間に段差を設けているため、この段差内にブチルテープ８が丁度収容されて、表面板３の端部がブチルテープ８の厚さに押されて反りを生じることがないと共に、ブチルテープ８の食み出しもなく、見栄えに優れた建具１を形成できる。
【００２２】
更に本形態では、表面板３の裏面を前記補強中桟９の一に対し、接着剤を用いて固着している。この接着力により衝撃振動などが加わったとしても、ズレ吸収部７によって支持される表面板３がその自重によって下方に変位することが防止される。なお補強中桟９に替えて、上枠５、又は下枠６の何れかに、表面板３を接着することもよい。
【００２３】
図５は他の実施形態を例示している。以下異なる内容について説明し、それ以外は図中に表れた主要構成に同じ符号を付すだけとする。本形態の竪枠４は、建具１の厚さ方法に二層に分割された竪枠片２１、２１の間に弾性層１０をサンドイッチ状に積層し、竪枠片２１及び弾性層１０を接着一体化して形成される。このように本形態では、変形性に富んだ弾性層１０によってズレ吸収部７が形成され、見栄えに優れると共に弾性層１０は安定したズレ吸収作用を発揮するため、建具１の反りを確実に抑制できる。
【００２４】
弾性層１０は、例えば、１．０〜１０．０ｍｍ程度、好ましくは３．０〜７．０ｍｍ、本形態では５．０ｍｍとしている。１．０ｍｍ未満では、ズレを吸収能力が不足しがちなために反り発生の恐れがあり、逆に１０．０ｍｍを超えると、ズレ吸収能力が過剰となる上に、建具枠２の剛性が不足する可能性がある。
【００２５】
弾性層１０は、クロロプレンゴム( ＣＲ）、スチレン・ブタジエンゴム（ＳＢＲ）、イソプレンゴム（ＩＲ）を含むゴム、スチレン系・オレフィン系・ウレタン系・ポリエステル系その他の熱可塑性エラストマー、エチレン酢酸ビニル共重合体（ＥＶＡ）などの弾性材料を用いて形成される。
【００２６】
尚、叙上の説明は本発明の実施の形態を例示したものである。従って本発明の技術的範囲はこれに何ら限定されるものではなく、前記した実施の形態の他にも、各種の変形例が含まれる。
【図面の簡単な説明】
【００２７】
【図１】本発明の一実施の形態を例示する斜視図である。
【図２】そのＡ−Ａ断面図である。
【図３】その分解斜視図である。
【図４】その要部拡大斜視図である。
【図５】他の実施形態を例示する断面図である。
【符号の説明】
【００２８】
１      建具
２      建具枠
３      表面板
４      竪枠
５      上枠
６      下枠
７      ズレ吸収部
８      ブチルテープ
９      補強中桟
１０      弾性層
【図１】
2007191930.tif 000003
【図２】
2007191930.tif 000004
【図３】
2007191930.tif 000005
【図４】
2007191930.tif 000006
【図５】
2007191930.tif 000007